(57)【要約】【課題】システム管理者が管理するための作業を容易にする撮像システムを提供すること。【解決手段】被写体を撮像して得られた画像データをネットワーク２４経由で送信する複数の撮像装置２０と、撮像装置２０によって送信された画像データをネットワーク２４経由で受信して画像を表示する複数の画像表示端末２３と、撮像装置２０を管理するための管理情報に基づいてネットワーク２４経由で撮像装置２０を制御する撮像制御装置３０とを備えて構成される。【選択図】  図１
2005005977.tif 000002
【特許請求の範囲】
【請求項１】
被写体を撮像して得られた画像データをネットワーク経由で送信する複数の撮像装置と、前記撮像装置によって送信された画像データを前記ネットワーク経由で受信して画像を表示する複数の画像表示端末と、前記撮像装置を管理するための管理情報に基づいて前記ネットワーク経由で前記撮像装置を制御する撮像制御装置とを有し、前記管理情報は、前記撮像装置を表す撮像装置番号と前記撮像装置を表す宛先とを対応させる宛先対応情報を含み、前記撮像制御装置は、前記画像表示端末から前記ネットワーク経由で前記撮像装置番号を含む制御情報を受信する制御情報受信手段と、前記宛先対応情報に基づいて前記制御情報受信手段が受信した前記制御情報に含まれる前記撮像装置番号から前記宛先に変換する宛先変換手段と、前記宛先変換手段によって変換された宛先に従って前記制御情報を前記ネットワーク経由で送信する制御情報送信手段とを備え、前記撮像制御装置によって前記ネットワーク経由で送信された制御情報に応じて前記撮像装置を制御することを特徴とする撮像システム。
【請求項２】
前記制御情報受信手段が、１つの前記画像表示端末から互いに異なる前記撮像装置番号が含まれる前記制御情報を受信したとき、前記制御情報送信手段は、前記撮像装置番号から変換された複数の宛先に前記制御情報を一括して前記ネットワーク経由で送信することを特徴とする請求項１に記載の撮像システム。
【請求項３】
前記撮像制御装置は、各前記撮像装置に設定されている設定情報を前記ネットワーク経由で取得する設定情報取得手段と、前記設定情報取得手段によって取得されたそれぞれの設定情報を前記画像表示端末に前記ネットワーク経由で提供する設定情報提供手段とを備えたことを特徴とする請求項１または請求項２に記載の撮像システム。
【請求項４】
前記管理情報は、前記撮像装置または前記画像表示端末をユーザが利用できる権限を表すユーザ権限情報を含み、前記撮像制御装置は、前記ユーザを表すユーザ情報を含む前記制御情報が前記制御情報受信手段によって受信されたとき、前記ユーザ権限情報に基づいて前記ユーザが前記撮像装置または前記画像表示端末を利用可能か否かを判断する利用可能判断手段を備え、前記利用可能判断手段が利用可能と判断した場合、前記制御情報送信手段は、前記宛先変換手段によって変換された宛先に前記制御情報を前記ネットワーク経由で送信することを特徴とする請求項１乃至請求項３の何れかに記載の撮像システム。
【請求項５】
前記撮像制御装置は、前記撮像装置が検出したアラームを全ての前記画像表示端末に通知するアラーム通知手段を備えたことを特徴とする請求項１乃至請求項４の何れかに記載の撮像システム。
【請求項６】
前記撮像制御装置は、ユーザが前記アラームを解除できる権限を表すアラーム解除権限情報を格納するアラーム解除権限情報格納手段と、前記ユーザを表すユーザ情報を含むアラーム解除情報を前記ネットワーク経由で受信するアラーム解除情報受信手段と、前記アラーム解除情報が前記アラーム解除情報受信手段によって受信されたとき、前記アラーム解除権限情報に基づいて前記ユーザがアラームを解除可能か否かを判断するアラーム解除判断手段と、前記アラーム解除判断手段が解除可能と判断した場合、前記撮像装置が検出したアラームを解除するアラーム解除手段とを備えたことを特徴とする請求項５に記載の撮像システム。
【請求項７】
前記撮像システムは、前記撮像制御装置に導入されるプログラムおよび前記管理情報を含む、アプリケーションソフトウエアを配信する配信サーバを有し、前記撮像制御装置は、前記配信サーバから配信された前記アプリケーションソフトウエアを更新する更新手段を備えたことを特徴とする請求項１乃至請求項６の何れかに記載の撮像システム。
【請求項８】
前記撮像制御装置は、前記画像表示端末または前記撮像装置に導入されるアプリケーションソフトウエアを格納するアプリケーションソフトウエア格納手段と、前記画像表示端末または前記撮像装置に導入されている導入アプリケーションソフトウエアのバージョンを取得するアプリケーションソフトウエアバージョン取得手段と、前記アプリケーションソフトウエアバージョン取得手段によって取得されたアプリケーションソフトウエアのバージョンと前記アプリケーションソフトウエア格納手段が格納するアプリケーションソフトウエアのバージョンとが一致するか否かを判断するアプリケーションソフトウエアバージョン判断手段とを備え、前記アプリケーションソフトウエアバージョン判断手段が一致しないと判断したとき、前記画像表示端末または前記撮像装置は、前記導入アプリケーションソフトウエアから前記アプリケーションソフトウエア格納手段が格納するアプリケーションソフトウエアに更新することを特徴とする請求項１乃至請求項７の何れかに記載の撮像システム。
【発明の詳細な説明】
【０００１】
【発明の属する技術分野】
本発明は、被写体を撮像して得られた画像データをネットワーク経由で送信する撮像装置と、画像データをネットワーク経由で受信して表示する画像表示端末とを有する撮像システムに関する。
【０００２】
【従来の技術】
従来、この種の撮像システムとしては、複数の監視現場に設置され、監視対象を撮像し画像データを出力するカメラ、監視対象の音声を検出する音声検出手段、および監視対象の状態や物の振動などを検出するセンサ手段などを有するネットワークカメラと、通信回線を介してネットワークカメラから異常データを受信して一時記憶する受信データ記憶手段、および受信データ記憶手段に一時記憶されている異常データから異常の発生を監視する監視制御手段などを有する監視装置とを備え、ネットワークカメラから送信された表示画像データを監視装置を介して複数の表示装置に表示するものが知られている（例えば、特許文献１参照。）。
【０００３】
また、図１６に示すように、従来の撮像システム９０は、被写体を撮像するカメラ９３、およびカメラ９３の動作を制御し、その制御に関わるデータをカメラ９３に設定するカメラ制御サーバ９４を有する複数の撮像装置９１と、撮像装置９１から画像データをネットワーク２４経由で受信して画像を画面に表示する複数の画像表示端末９２とを備え、各画像表示端末９２が、撮像装置９１を制御するための制御情報を撮像装置９１に送信することにより撮像装置９１を制御していた。なお、制御情報には、パンおよびチルトを含むカメラ９３の操作に関する操作番号や、画像データを送信するための送信速度などをカメラ制御サーバ９４に設定するための設定情報が含まれている。
【０００４】
【特許文献１】
特開２００２−３００５６９号公報（２１段落目、図１）
【０００５】
【発明が解決しようとする課題】
しかしながら、上述の撮像システム９０では、画像表示端末９２が制御情報を送信する各撮像装置９１の宛先に関する情報などをそれぞれの画像表示端末９２にシステム管理者が事前に設定する必要があるため、システム管理者が撮像システム９０を管理するための作業が煩雑になってしまうという問題があった。また、カメラ９３の操作に関する操作番号は、撮像装置９１の仕様が互いに異なる等の要因で共通しない場合がある。この場合、１つの同じ操作と対応する撮像装置９１毎の操作番号に変換させるための情報を画像表示端末９２に事前に設定する必要があるため、システム管理者が撮像システム９０を管理するための作業が煩雑になってしまうという問題があった。
本発明は、このような従来の課題を解決するためになされたもので、システム管理者が管理するための作業を容易にする撮像システムを提供するものである。
【０００６】
【課題を解決するための手段】
本発明の撮像システムは、被写体を撮像して得られた画像データをネットワーク経由で送信する複数の撮像装置と、前記撮像装置によって送信された画像データを前記ネットワーク経由で受信して画像を表示する複数の画像表示端末と、前記撮像装置を管理するための管理情報に基づいて前記ネットワーク経由で前記撮像装置を制御する撮像制御装置とを備えた構成を有している。
この構成により、撮像制御装置が管理情報に基づいて取りまとめて各撮像装置を制御するため、システム管理者が撮像システムを管理するための作業が容易となる。
【０００７】
また、本発明の撮像システムは、被写体を撮像して得られた画像データをネットワーク経由で送信する複数の撮像装置と、前記撮像装置によって送信された画像データを前記ネットワーク経由で受信して画像を表示する複数の画像表示端末と、前記撮像装置を管理するための管理情報に基づいて前記ネットワーク経由で前記撮像装置を制御する撮像制御装置とを備え、前記管理情報は、前記撮像装置を表す撮像装置番号と前記撮像装置を表す宛先とを対応させる宛先対応情報を含み、前記撮像制御装置は、前記画像表示端末から前記ネットワーク経由で前記撮像装置番号を含む制御情報を受信する制御情報受信手段と、前記宛先対応情報に基づいて前記制御情報受信手段が受信した前記制御情報に含まれる前記撮像装置番号から前記宛先に変換する宛先変換手段と、前記宛先変換手段によって変換された宛先に従って前記制御情報を前記ネットワーク経由で送信する制御情報送信手段とを備え、前記撮像制御装置によって前記ネットワーク経由で送信された制御情報に応じて前記撮像装置を制御する構成を有している。
この構成により、宛先対応情報に基づいて撮像制御装置が撮像装置番号から撮像装置を表す宛先に変換するため、画像表示端末側で宛先を管理することを不要とし宛先を管理するための管理作業が容易となる。
【０００８】
また、本発明の撮像システムは、被写体を撮像して得られた画像データをネットワーク経由で送信する複数の撮像装置と、前記撮像装置によって送信された画像データを前記ネットワーク経由で受信して画像を表示する複数の画像表示端末と、前記撮像装置を管理するための管理情報に基づいて前記ネットワーク経由で前記撮像装置を制御する撮像制御装置とを備え、前記管理情報は、前記撮像装置を表す撮像装置番号と前記撮像装置を表す宛先とを対応させる宛先対応情報を含み、前記撮像制御装置は、前記画像表示端末から前記ネットワーク経由で前記撮像装置番号を含む制御情報を受信する制御情報受信手段と、前記宛先対応情報に基づいて前記制御情報受信手段が受信した前記制御情報に含まれる前記撮像装置番号から前記宛先に変換する宛先変換手段と、前記宛先変換手段によって変換された宛先に従って前記制御情報を前記ネットワーク経由で送信する制御情報送信手段とを備え、前記撮像制御装置によって前記ネットワーク経由で送信された制御情報に応じて前記撮像装置を制御し、前記制御情報受信手段が、１つの前記画像表示端末から互いに異なる前記撮像装置番号が含まれる前記制御情報を受信したとき、前記制御情報送信手段は、前記撮像装置番号から変換された複数の宛先に前記制御情報を一括して前記ネットワーク経由で送信する構成を有している。
この構成により、１つの画像表示端末から複数の撮像装置を同時に制御するため、システム管理者またはユーザが一度に複数の撮像装置を制御でき、システムを管理するための作業が容易になる。
【０００９】
また、本発明の撮像システムは、被写体を撮像して得られた画像データをネットワーク経由で送信する複数の撮像装置と、前記撮像装置によって送信された画像データを前記ネットワーク経由で受信して画像を表示する複数の画像表示端末と、前記撮像装置を管理するための管理情報に基づいて前記ネットワーク経由で前記撮像装置を制御する撮像制御装置とを備え、前記撮像制御装置は、各前記撮像装置に設定されている設定情報を前記ネットワーク経由で取得する設定情報取得手段と、前記設定情報取得手段によって取得されたそれぞれの設定情報を前記画像表示端末に前記ネットワーク経由で提供する設定情報提供手段とを備えた構成を有している。
この構成により、各撮像装置から取得されたそれぞれの設定情報を画像表示端末に提供するため、各撮像装置に設定されている設定情報を画像表示端末で一度に確認できる。
【００１０】
また、本発明の撮像システムは、被写体を撮像して得られた画像データをネットワーク経由で送信する複数の撮像装置と、前記撮像装置によって送信された画像データを前記ネットワーク経由で受信して画像を表示する複数の画像表示端末と、前記撮像装置を管理するための管理情報に基づいて前記ネットワーク経由で前記撮像装置を制御する撮像制御装置とを備え、前記管理情報は、前記撮像装置を表す撮像装置番号と前記撮像装置を表す宛先とを対応させる宛先対応情報を含み、前記撮像制御装置は、前記画像表示端末から前記ネットワーク経由で前記撮像装置番号を含む制御情報を受信する制御情報受信手段と、前記宛先対応情報に基づいて前記制御情報受信手段が受信した前記制御情報に含まれる前記撮像装置番号から前記宛先に変換する宛先変換手段と、前記宛先変換手段によって変換された宛先に従って前記制御情報を前記ネットワーク経由で送信する制御情報送信手段とを備え、前記撮像制御装置によって前記ネットワーク経由で送信された制御情報に応じて前記撮像装置を制御し、前記管理情報は、前記撮像装置または前記画像表示端末をユーザが利用できる権限を表すユーザ権限情報を含み、前記撮像制御装置は、前記ユーザを表すユーザ情報を含む前記制御情報が前記制御情報受信手段によって受信されたとき、前記ユーザ権限情報に基づいて前記ユーザが前記撮像装置または前記画像表示端末を利用可能か否かを判断する利用可能判断手段を備え、前記利用可能判断手段が利用可能と判断した場合、前記制御情報送信手段は、前記宛先変換手段によって変換された宛先に前記制御情報を前記ネットワーク経由で送信する構成を有している。
この構成により、特定のユーザのみが撮像装置または画像表示端末を利用可能にするため、権限を有していないユーザから撮像装置または画像表示端末の利用を排他することができ、撮像システムのセキュリティを高めることができる。
【００１１】
また、本発明の撮像システムは、被写体を撮像して得られた画像データをネットワーク経由で送信する複数の撮像装置と、前記撮像装置によって送信された画像データを前記ネットワーク経由で受信して画像を表示する複数の画像表示端末と、前記撮像装置を管理するための管理情報に基づいて前記ネットワーク経由で前記撮像装置を制御する撮像制御装置とを備え、前記撮像制御装置は、前記撮像装置が検出したアラームを全ての前記画像表示端末に通知するアラーム通知手段を備えた構成を有している。
この構成により、撮像装置が検出したアラームを全ての画像表示端末に通知するため、ユーザがどの画像表示端末を利用してもアラームを認識することができる。
【００１２】
また、本発明の撮像システムは、被写体を撮像して得られた画像データをネットワーク経由で送信する複数の撮像装置と、前記撮像装置によって送信された画像データを前記ネットワーク経由で受信して画像を表示する複数の画像表示端末と、前記撮像装置を管理するための管理情報に基づいて前記ネットワーク経由で前記撮像装置を制御する撮像制御装置とを備え、前記撮像制御装置は、前記撮像装置が検出したアラームを全ての前記画像表示端末に通知するアラーム通知手段を備え、前記撮像制御装置は、ユーザが前記アラームを解除できる権限を表すアラーム解除権限情報を格納するアラーム解除権限情報格納手段と、前記ユーザを表すユーザ情報を含むアラーム解除情報を前記ネットワーク経由で受信するアラーム解除情報受信手段と、前記アラーム解除情報が前記アラーム解除情報受信手段によって受信されたとき、前記アラーム解除権限情報に基づいて前記ユーザがアラームを解除可能か否かを判断するアラーム解除判断手段と、前記アラーム解除判断手段が解除可能と判断した場合、前記撮像装置が検出したアラームを解除するアラーム解除手段とを備えた構成を有している。
この構成により、ユーザがアラームを解除できる権限を表すアラーム解除権限情報に基づいてアラームを解除するため、権限を有していないユーザからアラームの解除を排他することができ、撮像システムのセキュリティを高めることができる。
【００１３】
また、本発明の撮像システムは、被写体を撮像して得られた画像データをネットワーク経由で送信する複数の撮像装置と、前記撮像装置によって送信された画像データを前記ネットワーク経由で受信して画像を表示する複数の画像表示端末と、前記撮像装置を管理するための管理情報に基づいて前記ネットワーク経由で前記撮像装置を制御する撮像制御装置とを備え、前記撮像システムは、前記撮像制御装置に導入されるプログラムおよび前記管理情報を含む、アプリケーションソフトウエアを配信する配信サーバを有し、前記撮像制御装置は、前記配信サーバから配信された前記アプリケーションソフトウエアを更新する更新手段を備えた構成を有している。
この構成により、配信サーバから配信されたアプリケーションソフトウエアを更新するため、撮像制御装置が最新のアプリケーションソフトウエアなどに保つことができ、また、撮像制御装置の故障回復時にアプリケーションソフトウエアが更新可能であるため、復旧作業が容易になる。
【００１４】
また、本発明の撮像システムは、被写体を撮像して得られた画像データをネットワーク経由で送信する複数の撮像装置と、前記撮像装置によって送信された画像データを前記ネットワーク経由で受信して画像を表示する複数の画像表示端末と、前記撮像装置を管理するための管理情報に基づいて前記ネットワーク経由で前記撮像装置を制御する撮像制御装置とを備え、前記撮像制御装置は、前記画像表示端末または前記撮像装置に導入されるアプリケーションソフトウエアを格納するアプリケーションソフトウエア格納手段と、前記画像表示端末または前記撮像装置に導入されている導入アプリケーションソフトウエアのバージョンを取得するアプリケーションソフトウエアバージョン取得手段と、前記アプリケーションソフトウエアバージョン取得手段によって取得されたアプリケーションソフトウエアのバージョンと前記アプリケーションソフトウエア格納手段が格納するアプリケーションソフトウエアのバージョンとが一致するか否かを判断するアプリケーションソフトウエアバージョン判断手段とを備え、前記アプリケーションソフトウエアバージョン判断手段が一致しないと判断したとき、前記画像表示端末または前記撮像装置は、前記導入アプリケーションソフトウエアから前記アプリケーションソフトウエア格納手段が格納するアプリケーションソフトウエアに更新する構成を有している。
この構成により、アプリケーションソフトウエアのバージョンが一致しないとき、画像表示端末または撮像装置が導入アプリケーションソフトウエアからアプリケーションソフトウエア格納手段が格納するアプリケーションソフトウエアに更新するため、画像表示端末または撮像装置が最新のアプリケーションソフトウエアなどに保つことができる。
【００１５】
【発明の実施の形態】
以下、本発明の実施の形態について、図面を参照して説明する。
（第１の実施の形態）
図１は、本発明の第１の実施の形態に係る撮像システムのブロック構成図である。本発明の第１の実施の形態に係る撮像システム１１は、被写体を撮像して得られた画像データをネットワーク２４経由で送信する複数の撮像装置２０、撮像装置２０によって送信された画像データをネットワーク２４経由で受信して画像を表示する複数の画像表示端末２３、および撮像装置２０を管理するための管理情報に基づいてネットワーク２４経由で撮像装置２０を制御する撮像制御装置３０を含むように構成される。なお、ネットワーク２４は、ＬＡＮ（Ｌｏｃａｌ  Ａｒｅａ  Ｎｅｔｗｏｒｋ）またはインターネットなどによって構成されてもよい。
【００１６】
撮像装置２０は、被写体を撮像するカメラ２１と、カメラ２１の動作を制御し、その制御に関わるデータをカメラ２１に設定するカメラ制御サーバ２２とを含むように構成される。画像表示端末２３は、撮像装置２０から画像データをネットワーク２４経由で受信して画像を画面に表示するようになっている。また、撮像装置２０は、ＭＰＥＧ（Ｍｏｖｉｎｇ  Ｐｉｃｔｕｒｅ  Ｅｘｐｅｒｔｓ  Ｇｒｏｕｐ）などの規格に準拠して画像データを圧縮してもよく、ＲＴＰ（Ｒｅａｌ−ｔｉｍｅ  Ｔｒａｎｓｐｏｒｔ  Ｐｒｏｔｏｃｏｌ）などの規格に準拠して圧縮された画像データをリアルタイムで画像表示端末２３に送信するようにしてもよい。なお、撮像装置２０は、被写体が所定のエリアに侵入したことを検出するセンサを有するようにしてもよい。また、撮像装置２０および画像表示端末２３は、撮像制御装置３０から送信されるアプリケーションソフトウエアを更新するようにしてもよい。
【００１７】
撮像制御装置３０は、撮像装置２０を表す撮像装置番号と撮像装置２０を表す宛先とを対応させる宛先対応情報を含む上述の管理情報を有し、画像表示端末２３からネットワーク２４経由で撮像装置番号を含む制御情報を受信する制御情報受信手段３１、宛先対応情報に基づいて制御情報受信手段３１が受信した制御情報に含まれる撮像装置番号から宛先に変換する宛先変換手段３２、および宛先変換手段３２によって変換された宛先に従って制御情報をネットワーク２４経由で送信する制御情報送信手段３３を含むように構成される。
【００１８】
なお、制御情報には、撮像装置番号の他に、パンおよびチルトを含むカメラ２１の操作に関する操作番号や、画像データを送信するための送信速度などをカメラ制御サーバ２２に設定するための設定情報が含まれている。また、撮像装置２０を表す宛先は、ＩＰアドレスでもよい。
【００１９】
図２は、撮像装置２０を表す撮像装置番号と撮像装置２０を表す宛先とを対応させる情報の一例を示す図である。宛先対応情報２５は、撮像装置２０を表す撮像装置番号および撮像装置２０を表すＩＰアドレスによって構成される。例えば、宛先対応情報２５は、撮像装置番号１とＩＰアドレス１９２．１６８．０．１とを対応させている。
【００２０】
制御情報受信手段３１は、画像表示端末２３からネットワーク２４経由で送信された制御情報を受信し、受信された制御情報を宛先変換手段３２に出力するようになっている。また、制御情報受信手段３１は、１つの画像表示端末２３から互いに異なる撮像装置番号が含まれる制御情報を受信し、受信された制御情報を宛先変換手段３２に出力するようになっている。
【００２１】
宛先変換手段３２は、制御情報受信手段３１によって出力された制御情報に含まれる撮像装置番号から宛先に変換するようになっている。例えば、宛先変換手段３２は、撮像装置番号１が制御情報に含まれていたとき、宛先対応情報２５に基づいて撮像装置番号１からＩＰアドレス１９２．１６８．０．１に変換するようになっている。また、宛先変換手段３２は、撮像装置番号から変換された宛先が含まれる制御情報を制御情報送信手段３３に出力するようになっている。
【００２２】
なお、カメラ２１の操作に関する操作番号は、撮像装置２０の仕様が互いに異なる等の要因で各画像表示端末２３に共通しない場合があるため、撮像制御装置３０は、１つの同じ操作と対応する撮像装置２０毎の操作番号に変換させるための変換情報を管理情報に含むようにしてもよい。この場合、宛先変換手段３２は、制御情報に含まれる操作番号を変換情報に基づいて撮像装置２０毎の操作番号に変換するようにしてもよい。宛先変換手段３２は、変換された操作番号が含まれる制御情報を制御情報送信手段３３に出力するようになっている。
【００２３】
制御情報送信手段３３は、宛先変換手段３２によって出力された制御情報に含まれる宛先に従って制御情報をネットワーク２４経由で送信するようになっている。なお、撮像制御装置３０によって送信された制御情報を受信した撮像装置２０は、制御情報に含まれる操作番号に従ってカメラ２１の操作を行うようになっている。また、１つの画像表示端末２３から互いに異なる撮像装置番号が含まれる制御情報が宛先変換手段３２によって出力されたとき、制御情報送信手段３３は、撮像装置番号から変換された複数の宛先に制御情報を一括してネットワーク２４経由で送信するようにしてもよい。
【００２４】
以下、本発明の第１の実施の形態に係る撮像システムの処理の流れについて、図面を参照して説明する。図３は、本発明の第１の実施の形態に係る撮像システムの処理の流れを示すフローチャートである。
【００２５】
まず、画像表示端末２３からネットワーク２４経由で送信された制御情報は、制御情報受信手段３１によって受信される（Ｓ１１）。次に、受信された制御情報に含まれる撮像装置番号は、宛先対応情報２５に基づいて宛先となるＩＰアドレスに変換され（Ｓ１２）、制御情報は、変換された宛先に従って制御情報送信手段３３によってネットワーク２４経由で撮像装置２０に送信される（Ｓ１３）。
【００２６】
以上説明したように、本発明の第１の実施の形態に係る撮像システムは、撮像制御装置３０が管理情報に基づいて取りまとめて各撮像装置２０を制御するため、システム管理者が撮像システム１１を管理するための作業が容易となる。
また、宛先対応情報２５に基づいて撮像制御装置３０が撮像装置番号から撮像装置２０を表す宛先に変換するため、画像表示端末２３側で宛先を管理することを不要とし宛先を管理するための管理作業が容易となる。
また、１つの画像表示端末２３から複数の撮像装置２０を同時に制御するため、システム管理者またはユーザが一度に複数の撮像装置２０を制御でき、システムを管理するための作業が容易になる。
【００２７】
（第２の実施の形態）
図４は、本発明の第２の実施の形態に係る撮像システムのブロック構成図である。本発明の第２の実施の形態に係る撮像システム１２は、被写体を撮像して得られた画像データをネットワーク２４経由で送信する複数の撮像装置２０、撮像装置２０によって送信された画像データをネットワーク２４経由で受信して画像を表示する複数の画像表示端末２３、および撮像装置２０を管理するための管理情報に基づいてネットワーク２４経由で撮像装置２０を制御する撮像制御装置４０を含むように構成される。なお、本発明の第２の実施の形態に係る撮像システムを構成する構成要素のうち、本発明の第１の実施の形態に係る撮像システムを構成する構成要素と同一の構成要素には同一の符号を付し、それぞれの説明を省略する。
【００２８】
撮像制御装置４０は、撮像装置２０を表す撮像装置番号と撮像装置２０を表す宛先とを対応させる宛先対応情報を含む上述の管理情報を有し、画像表示端末２３からネットワーク２４経由で撮像装置番号を含む制御情報を受信する制御情報受信手段３１、宛先対応情報に基づいて制御情報受信手段３１が受信した制御情報に含まれる撮像装置番号から宛先に変換する宛先変換手段３２、宛先変換手段３２によって変換された宛先に従って制御情報をネットワーク２４経由で送信する制御情報送信手段３３、各撮像装置２０に設定されている設定情報をネットワーク２４経由で取得する設定情報取得手段４４、および設定情報取得手段４４によって取得されたそれぞれの設定情報を画像表示端末２３にネットワーク２４経由で提供する設定情報提供手段４５を含むように構成される。
【００２９】
なお、本発明の第２の実施の形態に係る撮像制御装置を構成する手段のうち、本発明の第１の実施の形態に係る撮像制御装置を構成する手段と同一の手段には同一の符号を付し、それぞれの説明を省略する。
【００３０】
設定情報取得手段４４は、各撮像装置２０に設定されている設定情報をネットワーク２４経由で取得するようになっている。なお、設定情報には、撮像装置２０が画像データを画像表示端末２３に送信するための送信速度を表す情報および画像データを圧縮するための規格に関する情報などが含まれる。例えば、設定情報取得手段４４は、画像表示端末２３の要求に応じて設定情報を取得するようにしてもよい。また、設定情報取得手段４４は、定期的に設定情報を取得するようにしてもよい。
【００３１】
設定情報提供手段４５は、設定情報取得手段４４によって取得されたそれぞれの設定情報を画像表示端末２３にネットワーク２４経由で提供するようになっている。例えば、設定情報提供手段４５は、設定情報を画像表示端末２３にネットワーク２４経由で送信するようにしてもよい。また、設定情報提供手段４５は、設定情報取得手段４４によって取得されたそれぞれの設定情報を格納し、画像表示端末２３が設定情報を要求したとき、格納した設定情報を要求した画像表示端末２３にネットワーク２４経由で送信するようにしてもよい。
【００３２】
以下、本発明の第２の実施の形態に係る撮像システムの処理の流れについて、図面を参照して説明する。図５は、本発明の第２の実施の形態に係る撮像システムの処理の流れを示すフローチャートである。
【００３３】
まず、各撮像装置２０に設定されている設定情報は、設定情報取得手段４４によってネットワーク２４経由で取得される（Ｓ２１）。次に、取得された設定情報は、設定情報提供手段４５によって画像表示端末２３にネットワーク２４経由で提供される（Ｓ２２）。なお、撮像制御装置４０が各撮像装置２０に設定されていた設定情報を提供した後、画像表示端末２３は、提供された設定情報を画面に一覧表示するようにしてもよい。
【００３４】
以上説明したように、本発明の第２の実施の形態に係る撮像システムは、各撮像装置２０から取得されたそれぞれの設定情報を画像表示端末２３に提供するため、各撮像装置２０に設定されている設定情報を画像表示端末２３で一度に確認できる。
【００３５】
（第３の実施の形態）
図６は、本発明の第３の実施の形態に係る撮像システムのブロック構成図である。本発明の第３の実施の形態に係る撮像システム１３は、被写体を撮像して得られた画像データをネットワーク２４経由で送信する複数の撮像装置２０、撮像装置２０によって送信された画像データをネットワーク２４経由で受信して画像を表示する複数の画像表示端末２３、および撮像装置２０を管理するための管理情報に基づいてネットワーク２４経由で撮像装置２０を制御する撮像制御装置５０を含むように構成される。なお、本発明の第３の実施の形態に係る撮像システムを構成する構成要素のうち、本発明の第２の実施の形態に係る撮像システムを構成する構成要素と同一の構成要素には同一の符号を付し、それぞれの説明を省略する。
【００３６】
撮像制御装置５０は、撮像装置２０を表す撮像装置番号と撮像装置２０を表す宛先とを対応させる宛先対応情報２５と、撮像装置２０または画像表示端末２３をユーザが利用できる権限を表すユーザ権限情報と、画像表示端末２３を表す宛先から画像表示端末２３を表す画像表示端末番号に変換するための情報とを含む管理情報を有する。
【００３７】
また、撮像制御装置５０は、画像表示端末２３からネットワーク２４経由で撮像装置番号を含む制御情報を受信する制御情報受信手段３１、宛先対応情報に基づいて制御情報受信手段３１が受信した制御情報に含まれる撮像装置番号から宛先に変換する宛先変換手段３２、宛先変換手段３２によって変換された宛先に従って制御情報をネットワーク２４経由で送信する制御情報送信手段３３、各撮像装置２０に設定されている設定情報をネットワーク２４経由で取得する設定情報取得手段４４、設定情報取得手段４４によって取得されたそれぞれの設定情報を画像表示端末２３にネットワーク２４経由で提供する設定情報提供手段４５、およびユーザを表すユーザ情報を含む制御情報が制御情報受信手段３１によって受信されたとき、ユーザ権限情報に基づいてユーザが撮像装置２０または画像表示端末２３を利用可能か否かを判断する利用可能判断手段５６を含むように構成される。
【００３８】
なお、本発明の第３の実施の形態に係る撮像制御装置を構成する手段のうち、本発明の第２の実施の形態に係る撮像制御装置を構成する手段と同一の手段には同一の符号を付し、それぞれの説明を省略する。
【００３９】
制御情報受信手段３１がユーザ情報を含む制御情報を受信したとき、利用可能判断手段５６は、ユーザ権限情報に基づいて、ユーザが撮像装置２０または画像表示端末２３を利用可能か否かを判断するするようになっている。なお、制御情報には、ユーザ情報を構成するユーザ番号、撮像装置番号、および送信元の画像表示端末２３を表すＩＰアドレスが含まれる。
【００４０】
また、図７は、ユーザが撮像装置２０または画像表示端末２３を利用できる権限を表すユーザ権限情報の一例を示す図である。ユーザ権限情報２７は、ユーザを表すユーザ番号および撮像装置番号によって構成される。例えば、ユーザ権限情報２７に示すように、ユーザ番号１のユーザは、撮像装置番号１、撮像装置番号２、および撮像装置番号４に割当てられる撮像装置２０が利用できる。
【００４１】
また、ユーザ権限情報２８は、ユーザ番号および画像表示端末番号によって構成される。例えば、ユーザ権限情報２８に示すように、ユーザ番号１のユーザは、画像表示端末番号１、画像表示端末番号２、画像表示端末番号３、画像表示端末番号４、および画像表示端末番号５に割当てられる画像表示端末２３が利用できる。
【００４２】
例えば、利用可能判断手段５６は、ユーザ権限情報２７に基づいて制御情報に含まれるユーザ番号のユーザが撮像装置２０を利用可能と判断した場合、制御情報を宛先変換手段３２に出力するようになっている。
【００４３】
また、図８は、画像表示端末２３を表す画像表示端末番号と画像表示端末２３を表す宛先とを対応させる情報の一例を示す図である。宛先対応情報２９は、画像表示端末２３を表す画像表示端末番号と画像表示端末２３を表すＩＰアドレスによって構成される。例えば、宛先対応情報２９は、画像表示端末番号１とＩＰアドレス１９２．１６８．０．４とを対応させている。
【００４４】
ここで、利用可能判断手段５６は、宛先対応情報２９に基づいて送信元の画像表示端末２３を表すＩＰアドレスから画像表示端末番号に変換し、利用可能判断手段５６は、ユーザ権限情報２８に基づいて制御情報に含まれるユーザ番号のユーザが画像表示端末２３を利用可能と判断した場合、制御情報を宛先変換手段３２に出力するようになっている。
【００４５】
以下、本発明の第３の実施の形態に係る撮像システムの処理の流れについて、図面を参照して説明する。図９は、本発明の第３の実施の形態に係る撮像システムの処理の流れを示すフローチャートである。
【００４６】
まず、画像表示端末２３からネットワーク２４経由で送信された制御情報は、制御情報受信手段３１によって受信される（Ｓ３１）。次に、ユーザ権限情報２７またはユーザ権限情報２８に基づいて、ユーザが撮像装置２０または画像表示端末２３を利用可能か否かが利用可能判断手段５６によって判断される（Ｓ３２）。
【００４７】
ユーザが撮像装置２０または画像表示端末２３を利用可能と判断されたとき、制御情報に含まれる撮像装置番号は、宛先対応情報２５に基づいて宛先となるＩＰアドレスに変換され（Ｓ３３）、制御情報は、変換された宛先に従って制御情報送信手段３３によってネットワーク２４経由で撮像装置２０に送信される（Ｓ３４）。
【００４８】
以上説明したように、本発明の第３の実施の形態に係る撮像システムは、特定のユーザのみが撮像装置２０または画像表示端末２３を利用可能にするため、権限を有していないユーザから撮像装置２０または画像表示端末２３の利用を排他することができ、撮像システム１３のセキュリティを高めることができる。
【００４９】
（第４の実施の形態）
図１０は、本発明の第４の実施の形態に係る撮像システムのブロック構成図である。本発明の第４の実施の形態に係る撮像システム１４は、被写体を撮像して得られた画像データをネットワーク２４経由で送信する複数の撮像装置２０、撮像装置２０によって送信された画像データをネットワーク２４経由で受信して画像を表示する複数の画像表示端末２３、および撮像装置２０を管理するための管理情報に基づいてネットワーク２４経由で撮像装置２０を制御する撮像制御装置６０を含むように構成される。なお、本発明の第４の実施の形態に係る撮像システムを構成する構成要素のうち、本発明の第３の実施の形態に係る撮像システムを構成する構成要素と同一の構成要素には同一の符号を付し、それぞれの説明を省略する。
【００５０】
また、撮像制御装置６０は、画像表示端末２３からネットワーク２４経由で撮像装置番号を含む制御情報を受信する制御情報受信手段３１、宛先対応情報に基づいて制御情報受信手段３１が受信した制御情報に含まれる撮像装置番号から宛先に変換する宛先変換手段３２、宛先変換手段３２によって変換された宛先に従って制御情報をネットワーク２４経由で送信する制御情報送信手段３３、各撮像装置２０に設定されている設定情報をネットワーク２４経由で取得する設定情報取得手段４４、設定情報取得手段４４によって取得されたそれぞれの設定情報を画像表示端末２３にネットワーク２４経由で提供する設定情報提供手段４５、ユーザを表すユーザ情報を含む制御情報が制御情報受信手段３１によって受信されたとき、ユーザ権限情報に基づいてユーザが撮像装置２０または画像表示端末２３を利用可能か否かを判断する利用可能判断手段５６、撮像装置２０が検出したアラームを全ての画像表示端末２３に通知するアラーム通知手段６１、ユーザがアラームを解除できる権限を表すアラーム解除権限情報を格納するアラーム解除権限情報格納手段６２、ユーザを表すユーザ情報を含むアラーム解除情報をネットワーク２４経由で受信するアラーム解除情報受信手段６３、アラーム解除情報がアラーム解除情報受信手段６３によって受信されたとき、アラーム解除権限情報に基づいてユーザがアラームを解除可能か否かを判断するアラーム解除判断手段６４、
およびアラーム解除判断手段６４が解除可能と判断した場合、撮像装置２０が検出したアラームを解除するアラーム解除手段６５を含むように構成される。
【００５１】
なお、本発明の第４の実施の形態に係る撮像制御装置を構成する手段のうち、本発明の第３の実施の形態に係る撮像制御装置を構成する手段と同一の手段には同一の符号を付し、それぞれの説明を省略する。
【００５２】
アラーム通知手段６１は、撮像装置２０が検出したアラームを全ての画像表示端末２３に通知するようになっている。例えば、撮像装置２０が有するセンサによってアラームが検出されたときにアラームを表すアラーム情報が撮像装置２０からネットワーク２４経由で送信され、アラーム通知手段６１は、アラーム情報を受信し、受信されたアラーム情報を全ての画像表示端末２３に送信するようにしてもよい。なお、本実施の形態では、撮像装置２０は、アラームが解除されるまでアラームが検出された状態を維持するようになっている。
【００５３】
アラーム解除権限情報格納手段６２は、ユーザがアラームを解除できる権限を表すアラーム解除権限情報を格納するようになっている。例えば、アラーム解除権限情報は、アラームを解除できる権限を持つ１つ以上のユーザ番号によって構成される。
【００５４】
アラーム解除情報受信手段６３は、ユーザを表すユーザ情報を含むアラーム解除情報をネットワーク２４経由で受信するようになっている。また、アラーム解除情報受信手段６３は、画像表示端末２３から送信されたアラーム解除情報を受信するようにしてもよい。なお、アラーム解除情報は、撮像装置２０が検出したアラームを解除するための情報である。ユーザ情報には、ユーザを表すユーザ番号が含まれる。
【００５５】
アラーム解除判断手段６４は、アラーム解除権限情報に基づいてユーザがアラームを解除可能か否かを判断するようになっている。例えば、アラーム解除情報受信手段６３が受信したアラーム解除情報に含まれるユーザ番号が、アラーム解除権限情報に存在したとき、アラーム解除判断手段６４は、ユーザがアラームを解除可能と判断し、アラーム解除権限情報に存在しないとき、ユーザがアラームを解除不可能と判断するようになっている。
【００５６】
アラーム解除手段６５は、アラーム解除判断手段６４が解除可能と判断した場合、撮像装置２０が検出したアラームを解除するようになっている。例えば、アラーム解除判断手段６４が解除可能と判断した場合、アラーム解除手段６５は、アラームを検出した撮像装置２０にアラーム解除情報をネットワーク２４経由で送信するようにしてもよい。なお、アラームを検出した撮像装置２０は、撮像制御装置３０によって送信されたアラーム解除情報を受信し、受信されたアラーム解除情報に応じてアラームを解除するようにしてもよい。
【００５７】
以下、本発明の第４の実施の形態に係る撮像システムの処理の流れについて、図面を参照して説明する。図１１は、本発明の第４の実施の形態に係る撮像システムの処理の流れを示すフローチャートである。
【００５８】
まず、撮像装置２０が検出したアラームは、アラーム通知手段６１によって画像表示端末２３に通知される（Ｓ４１）。その後、ユーザ番号が含まれるなどが含まれるアラーム解除情報は、アラーム解除情報受信手段６３によってネットワーク２４経由で受信される（Ｓ４２）。
【００５９】
次に、アラーム解除情報が受信されたとき、アラーム解除権限情報に基づいてユーザがアラームを解除可能か否かが、アラーム解除判断手段６４によって判断される（Ｓ４３）。ユーザがアラームを解除可能と判断されたとき、撮像装置２０が検出したアラームは、アラーム解除手段６５によって解除される（Ｓ４４）。
【００６０】
以上説明したように、本発明の第４の実施の形態に係る撮像システムは、撮像装置２０が検出したアラームを全ての画像表示端末２３に通知するため、ユーザがどの画像表示端末２３を利用してもアラームを認識することができる。
また、ユーザがアラームを解除できる権限を表すアラーム解除権限情報に基づいてアラームを解除するため、権限を有していないユーザからアラームの解除を排他することができ、撮像システム１４のセキュリティを高めることができる。
【００６１】
（第５の実施の形態）
図１２は、本発明の第５の実施の形態に係る撮像システムのブロック構成図である。本発明の第５の実施の形態に係る撮像システム１５は、被写体を撮像して得られた画像データをネットワーク２４経由で送信する複数の撮像装置２０、撮像装置２０によって送信された画像データをネットワーク２４経由で受信して画像を表示する複数の画像表示端末２３、撮像装置２０を管理するための管理情報に基づいてネットワーク２４経由で撮像装置２０を制御する撮像制御装置７０、および外部ネットワーク７２経由でソフトウエアを配信する配信サーバ７３を含むように構成される。なお、本発明の第５の実施の形態に係る撮像システムを構成する構成要素のうち、本発明の第３の実施の形態に係る撮像システムを構成する構成要素と同一の構成要素には同一の符号を付し、それぞれの説明を省略する。
【００６２】
配信サーバ７３は、管理情報と撮像制御装置７０に導入されるプログラムとを含むアプリケーションソフトウエアを格納するソフトウエアデータベース７４を有している。また、配信サーバ７３は、システム管理者の要求に応じてアプリケーションソフトウエアを外部ネットワーク７２経由でアプリケーションソフトウエアを撮像制御装置７０に配信するようになっている。
【００６３】
なお、ソフトウエアデータベース７４に格納されるプログラムは、最新のアプリケーションソフトウエアでもよい。ソフトウエアデータベース７４に格納される管理情報は、撮像制御装置７０の故障回復時に復旧するための情報となる。また、外部ネットワーク７２は、撮像制御装置７０の故障回復時に復旧するときに利用されるネットワークである。配信サーバ７３は、外部ネットワーク７２に代えて情報通信が可能なものであれば如何なるものを利用してアプリケーションソフトウエアを撮像制御装置７０に配信するようにしてもよい。
【００６４】
また、撮像制御装置７０は、ソフトウエアデータベース７４と接続され、画像表示端末２３からネットワーク２４経由で撮像装置番号を含む制御情報を受信する制御情報受信手段３１、宛先対応情報に基づいて制御情報受信手段３１が受信した制御情報に含まれる撮像装置番号から宛先に変換する宛先変換手段３２、宛先変換手段３２によって変換された宛先に従って制御情報をネットワーク２４経由で送信する制御情報送信手段３３、各撮像装置２０に設定されている設定情報をネットワーク２４経由で取得する設定情報取得手段４４、設定情報取得手段４４によって取得されたそれぞれの設定情報を画像表示端末２３にネットワーク２４経由で提供する設定情報提供手段４５、ユーザを表すユーザ情報を含む制御情報が制御情報受信手段３１によって受信されたとき、ユーザ権限情報に基づいてユーザが撮像装置２０または画像表示端末２３を利用可能か否かを判断する利用可能判断手段５６、およびアプリケーションソフトウエアを更新する更新手段７１を含むように構成される。
【００６５】
なお、本発明の第５の実施の形態に係る撮像制御装置を構成する手段のうち、本発明の第３の実施の形態に係る撮像制御装置を構成する手段と同一の手段には同一の符号を付し、それぞれの説明を省略する。
【００６６】
更新手段７１は、配信サーバ７３から配信されたアプリケーションソフトウエアを更新するようになっている。例えば、更新手段７１は、配信サーバ７３から配信されたアプリケーションソフトウエアを受信したとき、アプリケーションソフトウエアの導入、すなわちアプリケーションソフトウエアのインストールを行なって、アプリケーションソフトウエアに含まれるプログラムおよび管理情報を更新するようになっている。なお、アプリケーションソフトウエアには、撮像制御装置７０を構成する各手段などの処理を実行するプログラムが含まれる。
【００６７】
以下、本発明の第５の実施の形態に係る撮像システムの処理の流れについて、図面を参照して説明する。図１３は、本発明の第５の実施の形態に係る撮像システムの処理の流れを示すフローチャートである。
【００６８】
まず、システム管理者がソフトウエアデータベース７４に格納されるアプリケーションソフトウエアのバージョンを定期的に確認し、確認したバージョンが撮像制御装置７０にインストールされているアプリケーションソフトウエアのバージョンより新しいとき、システム管理者の要求に応じてアプリケーションソフトウエアが、配信サーバ７３から外部ネットワーク７２経由で配信される（Ｓ５１）。次に、配信サーバ７３から配信されたアプリケーションソフトウエアは、更新手段７１によって更新される（Ｓ５２）。
【００６９】
以上説明したように、本発明の第５の実施の形態に係る撮像システムは、配信サーバ７３から配信されたアプリケーションソフトウエアを更新するため、撮像制御装置７０が最新のアプリケーションソフトウエアなどに保つことができ、また、撮像制御装置７０の故障回復時にアプリケーションソフトウエアが更新可能であるため、復旧作業が容易になる。
【００７０】
（第６の実施の形態）
図１４は、本発明の第６の実施の形態に係る撮像システムのブロック構成図である。本発明の第６の実施の形態に係る撮像システム１６は、被写体を撮像して得られた画像データをネットワーク２４経由で送信する複数の撮像装置２０、撮像装置２０によって送信された画像データをネットワーク２４経由で受信して画像を表示する複数の画像表示端末２３、および撮像装置２０を管理するための管理情報に基づいてネットワーク２４経由で撮像装置２０を制御する撮像制御装置８０を含むように構成される。なお、本発明の第６の実施の形態に係る撮像システムを構成する構成要素のうち、本発明の第３の実施の形態に係る撮像システムを構成する構成要素と同一の構成要素には同一の符号を付し、それぞれの説明を省略する。
【００７１】
また、撮像制御装置８０は、画像表示端末２３からネットワーク２４経由で撮像装置番号を含む制御情報を受信する制御情報受信手段３１、宛先対応情報に基づいて制御情報受信手段３１が受信した制御情報に含まれる撮像装置番号から宛先に変換する宛先変換手段３２、宛先変換手段３２によって変換された宛先に従って制御情報をネットワーク２４経由で送信する制御情報送信手段３３、各撮像装置２０に設定されている設定情報をネットワーク２４経由で取得する設定情報取得手段４４、設定情報取得手段４４によって取得されたそれぞれの設定情報を画像表示端末２３にネットワーク２４経由で提供する設定情報提供手段４５、ユーザを表すユーザ情報を含む制御情報が制御情報受信手段３１によって受信されたとき、ユーザ権限情報に基づいてユーザが撮像装置２０または画像表示端末２３を利用可能か否かを判断する利用可能判断手段５６、画像表示端末２３または撮像装置２０に導入されるアプリケーションソフトウエアを格納するアプリケーションソフトウエア格納手段８１、画像表示端末２３または撮像装置２０に導入されている導入アプリケーションソフトウエアのバージョンを取得するアプリケーションソフトウエアバージョン取得手段８２、アプリケーションソフトウエアバージョン取得手段８２によって取得されたアプリケーションソフトウエアのバージョンとアプリケーションソフトウエア格納手段８１が格納するアプリケーションソフトウエアのバージョンとが一致するか否かを判断するアプリケーションソフトウエアバージョン判断手段８３、およびアプリケーションソフトウエアに関するアプリケーションソフトウエア情報を画像表示端末２３または撮像装置２０に送信するアプリケーションソフトウエア情報送信手段８４を含むように構成される。
【００７２】
なお、本発明の第６の実施の形態に係る撮像制御装置を構成する手段のうち、本発明の第３の実施の形態に係る撮像制御装置を構成する手段と同一の手段には同一の符号を付し、それぞれの説明を省略する。
【００７３】
アプリケーションソフトウエア格納手段８１は、画像表示端末２３または撮像装置２０に導入されるアプリケーションソフトウエアを格納するようになっている。なお、アプリケーションソフトウエアには、画像表示端末２３または撮像装置２０の処理を実行するプログラムが含まれる。アプリケーションソフトウエア格納手段８１は、最新のアプリケーションソフトウエアを格納するようにしてもよい。
【００７４】
アプリケーションソフトウエアバージョン取得手段８２は、画像表示端末２３または撮像装置２０に導入されているアプリケーションソフトウエアのバージョンを定期的に取得するようになっている。例えば、アプリケーションソフトウエアバージョン取得手段８２は、画像表示端末２３または撮像装置２０に導入されているアプリケーションソフトウエアのバージョンを取得するための取得情報を定期的にネットワーク２４経由で画像表示端末２３または撮像装置２０に送信し、画像表示端末２３または撮像装置２０から送信された取得情報に応答する応答情報を受信することにより、導入アプリケーションソフトウエアのバージョンを取得するようにしてもよい。
【００７５】
アプリケーションソフトウエアバージョン判断手段８３は、アプリケーションソフトウエアバージョン取得手段８２によって取得された導入アプリケーションソフトウエアのバージョンと、アプリケーションソフトウエア格納手段８１に格納されているアプリケーションソフトウエアのバージョンとが一致するか否かを判断するようになっている。
【００７６】
アプリケーションソフトウエアバージョン判断手段８３が一致しないと判断したとき、アプリケーションソフトウエア情報送信手段８４は、アプリケーションソフトウエア格納手段８１に格納されているアプリケーションソフトウエアに関するアプリケーションソフトウエア情報を画像表示端末２３または撮像装置２０にネットワーク２４経由で送信するようになっている。
【００７７】
なお、アプリケーションソフトウエアバージョン取得手段８２が画像表示端末２３からアプリケーションソフトウエアのバージョンを取得した場合、アプリケーションソフトウエア情報送信手段８４は、アプリケーションソフトウエア情報を画像表示端末２３に送信し、アプリケーションソフトウエアバージョン取得手段８２が撮像装置２０からアプリケーションソフトウエアのバージョンを取得した場合、アプリケーションソフトウエア情報を撮像装置２０に送信するようになっている。
【００７８】
以下、本発明の第６の実施の形態に係る撮像システムの処理の流れについて、図面を参照して説明する。図１５は、本発明の第６の実施の形態に係る撮像システムの処理の流れを示すフローチャートである。
【００７９】
まず、画像表示端末２３または撮像装置２０に導入されているアプリケーションソフトウエアのバージョンは、アプリケーションソフトウエアバージョン取得手段８２によって定期的に取得される（Ｓ６１）。次に、アプリケーションソフトウエアバージョン取得手段８２によって取得された導入アプリケーションソフトウエアのバージョンと、アプリケーションソフトウエア格納手段８１に格納されているアプリケーションソフトウエアのバージョンとが一致するか否かが、アプリケーションソフトウエアバージョン判断手段８３によって判断される（Ｓ６２）。
【００８０】
アプリケーションソフトウエアバージョン判断手段８３が一致しないと判断したとき、アプリケーションソフトウエア情報が、アプリケーションソフトウエア情報送信手段８４によって画像表示端末２３または撮像装置２０にネットワーク２４経由で送信される（Ｓ６３）。次に、アプリケーションソフトウエア格納手段８１に格納されているアプリケーションソフトウエアは、画像表示端末２３または撮像装置２０によって撮像制御装置８０が送信したアプリケーションソフトウエア情報に応じて更新される（Ｓ６４）。
【００８１】
以上説明したように、本発明の第６の実施の形態に係る撮像システムは、アプリケーションソフトウエアのバージョンが一致しないとき、画像表示端末２３または撮像装置２０が導入アプリケーションソフトウエアからアプリケーションソフトウエア格納手段８１が格納するアプリケーションソフトウエアに更新するため、画像表示端末２３または撮像装置２０が最新のアプリケーションソフトウエアなどに保つことができる。
【００８２】
【発明の効果】
以上説明したように、本発明は、撮像制御装置が管理情報に基づいて取りまとめて各撮像装置を制御するため、システム管理者が撮像システムを管理するための作業が容易となる撮像システムを提供するものである。
【図面の簡単な説明】
【図１】本発明の第１の実施の形態に係る撮像システムのブロック構成図
【図２】撮像装置を表す撮像装置番号と撮像装置を表す宛先とを対応させる情報の一例を示す図
【図３】本発明の第１の実施の形態に係る撮像システムの処理の流れを示すフローチャート
【図４】本発明の第２の実施の形態に係る撮像システムのブロック構成図
【図５】本発明の第２の実施の形態に係る撮像システムの処理の流れを示すフローチャート
【図６】本発明の第３の実施の形態に係る撮像システムのブロック構成図
【図７】ユーザが撮像装置または画像表示端末を利用できる権限を表すユーザ権限情報の一例を示す図
【図８】画像表示端末を表す画像表示端末番号と画像表示端末を表す宛先とを対応させる情報の一例を示す図
【図９】本発明の第３の実施の形態に係る撮像システムの処理の流れを示すフローチャート
【図１０】本発明の第４の実施の形態に係る撮像システムのブロック構成図
【図１１】本発明の第４の実施の形態に係る撮像システムの処理の流れを示すフローチャート
【図１２】本発明の第５の実施の形態に係る撮像システムのブロック構成図
【図１３】本発明の第５の実施の形態に係る撮像システムの処理の流れを示すフローチャート
【図１４】本発明の第６の実施の形態に係る撮像システムのブロック構成図
【図１５】本発明の第６の実施の形態に係る撮像システムの処理の流れを示すフローチャート
【図１６】従来の撮像システムのブロック構成図
【符号の説明】
１１、１２、１３、１４、１５、１６、９０  撮像システム
２０、９１  撮像装置
２１、９３  カメラ
２２、９４  カメラ制御サーバ
２３、９２  画像表示端末
２４  ネットワーク
２５、２９  宛先対応情報
２７、２８  ユーザ権限情報
３０、４０、５０、６０、７０、８０  撮像制御装置
３１  制御情報受信手段
３２  宛先変換手段
３３  制御情報送信手段
４４  設定情報取得手段
４５  設定情報提供手段
５６  利用可能判断手段
６１  アラーム通知手段
６２  アラーム解除権限情報格納手段
６３  アラーム解除情報受信手段
６４  アラーム解除判断手段
６５  アラーム解除手段
７１  更新手段
７２  外部ネットワーク
７３  配信サーバ
７４  ソフトウエアデータベース
８１  アプリケーションソフトウエア格納手段
８２  アプリケーションソフトウエアバージョン取得手段
８３  アプリケーションソフトウエアバージョン判断手段
８４  アプリケーションソフトウエア情報送信手段
【図１】
2005005977.tif 000003
【図２】
2005005977.tif 000004
【図３】
2005005977.tif 000005
【図４】
2005005977.tif 000006
【図５】
2005005977.tif 000007
【図６】
2005005977.tif 000008
【図７】
2005005977.tif 000009
【図８】
2005005977.tif 000010
【図９】
2005005977.tif 000011
【図１０】
2005005977.tif 000012
【図１１】
2005005977.tif 000013
【図１２】
2005005977.tif 000014
【図１３】
2005005977.tif 000015
【図１４】
2005005977.tif 000016
【図１５】
2005005977.tif 000017
【図１６】
2005005977.tif 000018